(57)【要約】【課題】  簡易な操作でユーザが所望する画像を表示できる画像処理システムを提供すること。【解決手段】  本発明の画像処理システムでは、動画カメラ１０６又は１０７が撮影した被写体の被写体像情報を基準として、画像表示手段１０３に表示される画像の表示倍率と表示領域とが決定される。そして、決定された表示倍率及び表示領域に基づいて、画像表示手段１０３に実際に表示している現画像の画像情報を更新するための画像情報が生成される。これにより、ユーザは、動画カメラと被写体とを相対的に移動させるだけの簡易な操作で、表示画像の所望の部分を閲覧することができる。【選択図】  図１
2005275962.tif 000002
【特許請求の範囲】
【請求項１】
予め蓄積されている画像情報を画像として表示する画像表示手段に実際に表示している現画像を更新するための画像処理システムであって、
撮影手段が撮影した被写体と前記撮影手段との距離が、被写界深度が変化する第１の方向に沿って変化したことに応じて、前記画像表示手段に表示する画像の表示倍率を決定する倍率決定手段と、
前記撮影手段が撮影する撮影領域における前記被写体の存在位置が、前記第１の方向と交わる第２の方向に沿って変化したことに応じて、前記画像表示手段に表示する画像の表示領域を決定する領域決定手段と、
前記倍率決定手段及び前記領域決定手段が決定した表示倍率及び表示領域に基づいて、前記画像表示手段に実際に表示している現画像の画像情報を更新するための画像情報を生成する更新画像生成手段と、を備える画像処理システム。
【請求項２】
前記倍率決定手段は、前記被写体を撮影した被写体像の大きさの変化に応じて前記表示倍率を決定する、請求項１に記載の画像処理システム。
【請求項３】
前記倍率決定手段は、前記被写体像が相対的に大きくなると前記表示倍率を上げ、前記被写体像が相対的に小さくなると前記表示倍率を下げる、請求項２に記載の画像処理システム。
【請求項４】
前記倍率決定手段は、前記被写体像が相対的に大きくなると前記表示倍率を下げ、前記被写体像が相対的に小さくなると前記表示倍率を上げる、請求項２に記載の画像処理システム。
【請求項５】
第１の処理又は第２の処理のいずれの処理を行うかを受け付ける処理受付手段を備え、
前記処理受付手段が前記第１の処理を行うことを受け付けた場合には、前記倍率決定手段は、前記被写体像が相対的に大きくなると前記表示倍率を上げ、前記被写体像が相対的に小さくなると前記表示倍率を下げ、
前記処理受付手段が前記第２の処理を行うことを受け付けた場合には、前記倍率決定手段は、前記被写体像が相対的に大きくなると前記表示倍率を下げ、前記被写体像が相対的に小さくなると前記表示倍率を上げる、請求項２に記載の画像処理システム。
【請求項６】
前記画像情報を蓄積する画像蓄積手段と、
当該蓄積されている画像情報をネットワークを介して送信する第１送信手段と、
前記ネットワークを介して送信される画像情報を受信して前記画像表示手段に出力する第１受信手段と、
前記撮影手段が撮影した被写体の被写体像情報をネットワークを介して送信する第２送信手段と、
当該送信された被写体像情報を前記倍率決定手段及び前記領域決定手段にそれぞれ出力する第２受信手段と、
前記更新画像生成手段が生成した画像情報を、ネットワークを介して前記第１受信手段に向けて送信する第３送信手段と、を備える請求項１〜５のいずれか１項に記載の画像処理システム。
【請求項７】
前記第１の方向は、前記被写体が前記撮影手段に対して遠ざかる方向又は近づく方向であり、前記第２の方向は、前記撮影領域における前記被写体の存在位置が移動する方向である、請求項１〜６のいずれか１項に記載の画像処理システム。
【発明の詳細な説明】
【技術分野】
【０００１】
本発明は、画像処理システムに関する。
【背景技術】
【０００２】
近年、携帯電話などの通信端末において、画像等を表示して閲覧できるものがある。これらの機器では表示部が比較的小さな領域に限られており、画像全体を閲覧するために画像のスクロールや拡大・縮小などの操作が必要な場合がある。しかしながら、この操作の度にユーザのキー入力を必要とすると、操作が煩雑化してしまう。
【０００３】
そこで、例えば特許文献1には、携帯端末に加速度センサを設け、この加速度センサが検知した加速度の大きさと方向に応じて画像の表示を制御する画像制御装置が開示されている。また、特許文献２には、タッチセンサを表示部上に配置し、センサ上を移動する指の速度と画像のスクロール速度とを対応させた入力装置が開示されている。これらの技術によれば、キー入力によらない画像制御を行うことができる。
【特許文献１】特開平７−２７１５０５号公報
【特許文献２】特開２００２−３３３９５１号公報
【発明の開示】
【発明が解決しようとする課題】
【０００４】
しかしながら、特許文献1に記載の技術では、加速度の発生を前提としているため、装置が等速で移動する場合には適切な画像制御ができないという解決すべき技術的課題がある。また、加速度の検出のためには装置を大きく移動させる必要がある。一方、特許文献２に記載の技術では、一次元のタッチセンサを組み合わせているので、画面のスクロールと拡大・縮小とを一つの操作で行うことができないという解決すべき技術的課題がある。このように、上記従来技術には画像の制御に種々の制約が生じている。
【０００５】
そこで本発明では、簡易な操作でユーザが所望する画像を表示できる画像処理システムを提供することを課題とする。
【課題を解決するための手段】
【０００６】
本発明の画像処理システムは、予め蓄積されている画像情報を画像として表示する画像表示手段に実際に表示している現画像を更新するものであって、（１）撮影手段が撮影した被写体と撮影手段との距離が、被写界深度が変化する第１の方向に沿って変化したことに応じて、画像表示手段に表示する画像の表示倍率を決定する倍率決定手段と、（２）撮影手段が撮影する撮影領域における被写体の存在位置が、第１の方向と交わる第２の方向に沿って変化したことに応じて、画像表示手段に表示する画像の表示領域を決定する領域決定手段と、（３）倍率決定手段及び領域決定手段が決定した表示倍率及び表示領域に基づいて、画像表示手段に実際に表示している現画像の画像情報を更新するための画像情報を生成する更新画像生成手段と、を備える。
【０００７】
本発明の画像処理システムでは、被写体と撮影手段との距離の変化に応じて表示画像の表示倍率を決定するので、撮影手段と被写体との距離変化の速度によらずに表示画像の倍率を決定できる。また、撮影領域における被写体の存在位置の変化に応じて表示画像の表示領域を決定するので、撮影領域における被写体の位置変化速度によらずに表示領域を決定できる。これにより、ユーザは、撮影手段と被写体とを相対的に移動させるだけの簡易な操作で、表示画像の所望の部分を閲覧することができる。
【０００８】
また、本発明の画像処理システムでは、倍率決定手段が、被写体を撮影した被写体像の大きさの変化に応じて表示倍率を決定することも好ましい。撮影手段により撮影された被写体像が、被写体と撮影手段との距離を検出する基準となるので、微細な検出が可能となり、画像更新の操作に必要な移動量を小さくできる。
【０００９】
また本発明の画像処理システムでは、倍率決定手段が、被写体像が相対的に大きくなると表示倍率を上げ、被写体像が相対的に小さくなると前記表示倍率を下げることも好ましい。例えば、被写体が撮影手段の位置よりもユーザ側に位置する場合に、撮影手段の位置の変化と表示画像のスクロール及び拡大・縮小との対応関係を、ルーペを通して物を見る場合と同様にできる。したがって、直感的に操作し易いインターフェースで画像の閲覧を行うことができる。
【００１０】
また本発明の画像処理システムでは、倍率決定手段が、被写体像が相対的に大きくなると表示倍率を下げ、被写体像が相対的に小さくなると表示倍率を上げることも好ましい。例えば、被写体が撮影手段の位置を挟んでユーザの反対側に位置する場合に、撮影手段の位置の変化と表示画像のスクロール及び拡大・縮小との対応関係を、ルーペを通して物を見る場合と同様にできる。したがって、直感的に操作し易いインターフェースで画像の閲覧を行うことができる。
【００１１】
また本発明の画像処理システムでは、第１の処理又は第２の処理のいずれの処理を行うかを受け付ける処理受付手段を備え、処理受付手段が第１の処理を行うことを受け付けた場合には、倍率決定手段は、被写体像が相対的に大きくなると表示倍率を上げ、被写体像が相対的に小さくなると表示倍率を下げ、処理受付手段が第２の処理を行うことを受け付けた場合には、倍率決定手段は、被写体像が相対的に大きくなると表示倍率を下げ、被写体像が相対的に小さくなると表示倍率を上げることも好ましい。被写体と撮影手段の相対位置関係が入れ替わった場合、例えば、撮影手段の撮影方向が切替可能である場合であっても、被写体像の大小の変化と表示倍率との関係を切り替えることができる。
【００１２】
また本発明の画像処理システムでは、画像情報を蓄積する画像蓄積手段と、その蓄積されている画像情報をネットワークを介して送信する第１送信手段と、ネットワークを介して送信される画像情報を受信して画像表示手段に出力する第１受信手段と、撮影手段が撮影した被写体の被写体像情報をネットワークを介して送信する第２送信手段と、その送信された被写体像情報を倍率決定手段及び領域決定手段にそれぞれ出力する第２受信手段と、更新画像生成手段が生成した画像情報を、ネットワークを介して第１受信手段に向けて送信する第３送信手段と、を備えることも好ましい。撮影手段及び画像表示手段と更新画像生成手段とをネットワークを介して配置できるので、例えば撮影手段及び画像表示手段を端末側に、更新画像生成手段をサーバ側にそれぞれ配置することができ、端末側の情報処理負荷を軽減することができる。
【００１３】
また本発明の画像処理システムでは、第１の方向は、被写体が撮影手段に対して遠ざかる又は近づく方向であり、第２の方向は、撮影領域における被写体の存在位置が移動する方向であることも好ましい。被写体が撮影手段に対して遠ざかったり近づいたりすることに応じて表示画像の表示倍率を決定するので、撮影手段と被写体との距離変化の速度によらずに表示画像の倍率を決定できる。また、撮影領域における被写体の存在位置が移動することに応じて表示画像の表示領域を決定するので、撮影領域における被写体の位置変化速度によらずに表示領域を決定できる。
【発明の効果】
【００１４】
以上のように、本発明では、簡易な操作でユーザが所望する画像を表示できる。
【発明を実施するための最良の形態】
【００１５】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１６】
まず、本発明の実施形態である画像処理システムの動作概要について、図１〜図３を参照しながら説明する。図１は、この画像処理システムを構成する携帯端末１０をユーザが使用している状態を示す図である。図２は、図１の携帯端末１０の画像表示部１０３に表示される画像を説明するための図である。図３は、図１の画像表示部１０３に表示される画像を示す図である。図１において、携帯端末１０は、ユーザが使用する携帯端末であって、前面動画カメラ１０６及び背面動画カメラ１０７を搭載している。また、携帯端末１０の画像表示部１０３には、後述する伝送装置２０から受信した画像情報に基づく画像を表示することができる。図２は、伝送装置２０に予め蓄積されている画像情報の一例を示したもので、ここではテキストが配列された画像情報Ｇを例示する。この画像情報Ｇの画像領域は画像表示部１０３よりも広く一度に全領域を表示することができないため、例えば領域Ａで示される部分の画像情報が携帯端末１０に送信される。このとき、図３(Ａ)に示すように、画像表示部１０３には領域Ａに対応した画像（初期画像）が表示される。
【００１７】
ここで、ユーザが表示画像の他の領域の閲覧を希望する場合、ユーザはその閲覧を希望する領域に向けて携帯端末１０を移動する。より具体的には、例えば図２において、領域Ａが画像表示部１０３に表示されている状態から領域Ｂを表示したいと希望する場合には、ユーザは移動端末１０に向かって左手上方に移動端末１０を移動させる。このようにすると、図３（Ｂ）に示すように、画像表示部１０３に領域Ｂに対応した画像が表示される。また、例えば図２において、領域Ｂが画像表示部１０３に表示されている状態から領域Ｃを表示したいと希望する場合には、ユーザは移動端末１０を自分に対して寄せる方向か離す方向（被写界深度が変化する方向）に移動させる。このようにすると、図３（Ｃ）に示すように、画像表示部１０３に領域Ｃに対応した画像が表示される。
【００１８】
このように、移動端末１０を動かすことで画像表示部１０３に表示される画像を変化させるのは、前面動画カメラ１０６で撮影しているユーザ自身の被写体像又は背面動画カメラ１０７で撮影している被写体Ｐの被写体像の動きを解析した結果に基づいて行われる。この情報処理については後ほど詳述する。
【００１９】
続いて、図４に示すシーケンス図を参照しながら、本発明に係る画像処理システムの動作手順を説明する。
【００２０】
まず、ユーザは携帯端末１０を用いて伝送装置２０との間に通信を確立する（ステップＳ０１）。通信が確立すると、ユーザは伝送装置２０に対して、閲覧を所望する画像の送信を要求することができる。伝送装置２０は、要求された画像を表示させるために必要な画像情報を携帯端末１０に対して送信する（ステップＳ０２）。携帯端末１０は、画像情報を受信すると、その情報に基づいて画像表示部１０３に画像を表示する（ステップＳ０３）。次に、携帯端末１０は、前面動画カメラ１０６又は背面動画カメラ１０７を用いて被写体の撮影を開始し（ステップＳ０４）、撮影した被写体の被写体像情報を伝送装置２０に送信する（ステップＳ０５）。
【００２１】
ここで、図５を参照し、被写体像情報についてより具体的に説明する。図５に、その一例として、背面動画カメラ１０７を用いて被写体Ｐを撮影したときの被写体像情報Ｐ１を示す。図５（Ａ）に示すように、被写体Ｐの撮影を開始した際には、被写体像情報Ｐ１の画像領域の中央部付近に、基準となる被写体像Ｐ２が位置している。このとき、例えばユーザが携帯端末１０をユーザ側から見て左上方向に移動させたとすると、被写体Ｐは携帯端末１０に対して相対的に右下方向に移動する。したがって、図５（Ｂ）に示すように、被写体像情報Ｐ１の画像領域において、被写体像Ｐ２は右下方向に移動する。また、さらにユーザが携帯端末１０を被写体Ｐから遠ざける方向に移動させたとすると、図５（Ｃ）に示すように、被写体像情報Ｐ１の画像領域において、被写体像Ｐ２の大きさが縮小する。
【００２２】
再び図４を参照し、伝送装置２０は、受信した被写体像情報を解析して、その画像領域における被写体像の存在位置及び大きさの変化を検出する（ステップＳ０６）。そして、伝送装置２０は、被写体像の存在位置の変化に応じて、携帯端末１０に表示させる画像の表示領域を決定すると共に、被写体像の大きさの変化に応じて表示倍率を決定する（ステップＳ０７）。表示領域及び表示倍率を決定すると、その決定に基づいて画像情報を更新する（ステップＳ０８）。その後、更新された画像情報が携帯端末１０に送信され（ステップＳ０９）、画像表示部１０３に表示される（ステップＳ１０）。
【００２３】
次に、上述の画像処理を実現する画像処理システム１のシステム構成について図６を参照しながら説明する。図６は画像処理システム１の全体構成を示す構成図である。
【００２４】
本実施形態の画像処理システム１は、ユーザが画像の閲覧に利用する携帯端末１０と、画像情報の蓄積及び処理を行う伝送装置２０とがネットワーク３０を介して接続され、相互に情報通信が可能になるように構成されている。
【００２５】
携帯端末１０は、画像処理システム１を利用するユーザが使用する携帯電話機であって、物理的には、ＣＰＵ（中央処理装置）、メモリといった記憶装置、プッシュボタンといった入力装置等を有している。
【００２６】
また、携帯端末１０は、機能的な構成要素として、画像情報受信部（第１送信手段）１０１と、画像表示制御部（画像表示手段）１０２と、画像表示部１０３と、動画カメラ制御部（撮影手段）１０４と、処理要求部１０５と、前面動画カメラ（撮影手段）１０６と、背面動画カメラ（撮影手段）１０７と、被写体像情報生成部１０８と、被写体像情報送信部（第２送信手段）１０９と、を含んでいる。引き続いて各構成要素について説明する。
【００２７】
画像情報受信部１０１は、ネットワークを介して伝送装置２０から送信される画像情報を受信して、その情報を画像表示制御部１０２に出力する部分である。
【００２８】
画像表示制御部１０２は、受け取った画像情報に基づいて、画像表示部１０３に表示させる制御を行う部分である。また、画像表示制御部１０２は、画像情報を受け取ると、動画カメラ制御部１０４に対して、撮影の開始を指示するための撮影指示情報を出力する。
【００２９】
画像表示部１０３は、画像情報の一部又は全部を、画像表示制御部１０２の制御によって表示する、いわゆるディスプレイである。
【００３０】
動画カメラ制御部１０４は、前面動画カメラ１０６及び背面動画カメラ１０７の動作を制御する部分である。この動画カメラ制御部１０４は、画像表示制御部１０２から撮影指示情報を受け取ると、前面動画カメラ１０６又は背面動画カメラ１０７の制御を開始する。
【００３１】
ここで、動画カメラ制御部１０４がいずれのカメラを制御して撮影を行うかは、例えばユーザが操作する入力手段（図示しない）によって入力されるカメラ選択情報により決定される。動画カメラ制御部１０４は、カメラ選択情報が指示する方のカメラを制御して、その撮像軸方向に存在する被写体の撮影を行う。また、動画カメラ制御部１０４は、受け取ったカメラ選択情報を処理要求部１０５に出力する。
【００３２】
処理要求部１０５は、伝送装置２０の処理受付部２０７に対して、処理の要求を送信する部分である。より具体的には、処理要求部１０５は、受け取ったカメラ選択情報を参照し、その内容が前面動画カメラ１０６での撮影を指示するものである場合は、第１の処理を要求する第１処理要求情報を送信する。また、その内容が背面動画カメラ１０７での撮影を指示するものである場合は、第２の処理を要求する第２処理要求情報を送信する。
【００３３】
前面動画カメラ１０６は、例えばＣＣＤ（Ｃｈａｒｇｅ  Ｃｏｕｐｌｅｄ  Ｄｅｖｉｃｅｓ）などを含んで構成され、携帯端末１０において、画像表示部１０３が設けられた面側に位置するカメラである。この前面動画カメラ１０６は、携帯端末１０よりもユーザ側に位置する被写体の撮影が可能である。また、背面動画カメラ１０７は、携帯端末１０において、画像表示部１０３が設けられた面と反対側に位置するカメラである。この背面動画カメラ１０７は、ユーザ側から見て携帯端末１０よりも奥に位置する被写体の撮影が可能である。
【００３４】
被写体像情報生成部１０８は、前面動画カメラ１０６又は背面動画カメラ１０７によって撮影された被写体の画像を連続させ、動画としての被写体像情報を生成する。生成された被写体像情報は、被写体像情報送信部１０９に出力する。
【００３５】
被写体像情報送信部１０９は、受け取った被写体像情報を、ネットワーク３０を介して伝送装置２０の被写体像情報受信部２０４に送信する部分である。
【００３６】
伝送装置２０は、物理的には、ＣＰＵ（中央処理装置）、メモリ、マウスやキーボードといった入力装置、ディスプレイといった表示装置、ハードディスクといった格納装置などを備えている。
【００３７】
また、伝送装置２０は、機能的な構成要素として、画像情報蓄積部（画像情報蓄積手段）２０１と、画像情報送信部（第１送信手段・第３送信手段）２０２と、画像情報メモリ部２０３と、被写体像情報受信部（第２受信手段）２０４と、被写体像情報解析部（第２受信手段、領域決定手段、倍率決定手段）２０５と、領域決定部（領域決定手段）２０６と、処理受付部（処理受付手段）２０７と、倍率決定部（倍率決定手段）２０８と、更新画像生成部（更新画像決定手段）２０９と、を含んでいる。引き続いて各構成要素について説明する。
【００３８】
画像情報蓄積部２０１は、携帯端末１０に表示可能な画像情報を予め蓄積している部分である。蓄積される画像情報は、例えば図２に示したような画像データの他、ＭＰＥＧ（Ｍｏｖｉｎｇ  Ｐｉｃｔｕｒｅ  Ｅｘｐｅｒｔｓ  Ｇｒｏｕｐ）などに代表される動画データなどであってもよい。
【００３９】
画像情報送信部２０２は、ネットワーク３０を介し、画像情報を携帯端末１０の画像情報受信部１０１に送信する部分である。この画像情報送信部２０２は、ユーザが画像の閲覧を要求した画像情報を、画像情報蓄積部２０１から選択する。そして、選択した画像情報の一部又は全部を携帯端末１０の画像情報受信部１０１に送信すると共に、画像情報メモリ部２０３に出力する。また、後述する更新画像生成部２０９が生成した画像情報（更新画像情報）を受け取った場合にも、その画像情報を画像情報受信部１０１に送信する。
【００４０】
画像情報メモリ部２０３は、画像情報送信部２０２から出力された画像情報を一時的に保存する部分である。
【００４１】
被写体像情報受信部２０４は、携帯端末１０の被写体像情報送信部１０９から送信される被写体像情報を受信する部分である。この被写体像情報受信部２０４は、被写体像情報を受信すると、その被写体像情報を、被写体像情報解析部２０５に出力する。
【００４２】
被写体像情報解析部２０５は、受け取った被写体像情報を解析する部分である。この被写体像情報解析部２０５は、被写体像情報に基づいて、撮影領域における被写体像の存在位置の変化を検出し、検出結果を領域決定部２０６に出力する。図５（Ａ）〜図５（Ｂ）に示す例によれば、被写体像情報解析部２０５は、被写体像Ｐ２が左下方向に動いたこと及びその動いた量を検出結果として領域決定部２０６に出力する。また、被写体像情報解析部２０５は、被写体像情報に基づいて、撮影領域における被写体像の大きさの変化を検出し、検出結果を倍率決定部２０８に出力する。図５（Ｂ）〜図５（Ｃ）に示す例によれば、被写体像情報解析部２０５は、被写体像Ｐ２が縮小したこと及びその縮小量を検出結果として倍率決定部２０８に出力する。
【００４３】
領域決定部２０６は、撮影領域における被写体像の存在位置が変化したことに応じて、携帯端末１０の画像表示部１０３に表示する画像の表示領域を決定する部分である。
【００４４】
この領域決定部２０６の動作内容を、図７に示すフローチャートを用いて説明する。まず、被写体像情報解析部２０５からの検出結果に基づいて、撮影領域における被写体像の存在位置が変化したか否かを判断する（ステップＳ１１）。ここで、被写体像の存在位置の変化が認められなかった場合には、特段の処理は行わない。一方、被写体像の存在位置の変化が認められた場合には、撮影領域のいずれの方向に変化したかを判断する。
【００４５】
この場合、まず被写体像の存在位置が撮影領域の上下方向に変化したか否かを判断する（ステップＳ１２）。上下方向への位置変化が認められた場合には、その変化量に応じて、表示画像の上下スクロール量を決定する（ステップＳ１３）。
【００４６】
次に、被写体像の存在位置が撮影領域の左右方向に変化したか否かを判断する（ステップＳ１４）。左右方向への位置変化が認められた場合には、その変化量に応じて、表示画像の上下スクロール量を決定する（ステップＳ１５）。そして、領域決定部２０６は、上述の処理によって決定した表示画像のスクロール量に対応した表示画像の移動量情報を、更新画像生成部２０９に出力する（ステップＳ１６）。
【００４７】
図６に戻って、処理受付部２０７は、携帯端末１０の処理要求部１０５から第１又は第２の処理要求情報を受信する部分である。そして、処理受付部２０７は、受信した処理要求情報に基づいて、第１処理指示情報又は第２処理支持情報を倍率決定部２０８に出力する。
【００４８】
倍率決定部２０８は、撮影領域における被写体像の大きさの変化に応じて、画像表示部１０３に表示する画像の表示倍率を決定する部分である。この倍率決定部２０８は、受け取った処理指示情報に基づいて、以下に示す二種類の処理のいずれか一方の処理を行う。
【００４９】
図８に示すフローチャートを参照しながら、倍率決定部２０８が第１処理指示情報を受け取ったときの動作内容について説明する。まず、倍率決定部２０８は、被写体像情報解析部２０５からの検出結果に基づいて、撮影領域における被写体像の大きさが変化したか否かを判断する（ステップＳ２１）。撮影領域における被写体像の大きさに変化がない場合には、特段の処理を行わない。一方、被写体像の大きさに変化がある場合は、被写体像が拡大したか否かを判断する（ステップＳ２２）。被写体像が拡大した場合には、その拡大量に応じて、表示画像の拡大率を決定する（ステップＳ２３）。また、被写体像が縮小した場合には、その縮小量に応じて、表示画像の縮小量を決定する（ステップＳ２４）。そして、倍率決定部２０８は、上述の処理によって決定した表示画像の表示倍率に対応した表示画像の移動量情報を、更新画像生成部２０９に出力する（ステップＳ２５）。
【００５０】
次に、図９に示すフローチャートを参照しながら、倍率決定部２０８が第２処理指示情報を受け取ったときの動作内容について説明する。まず、倍率決定部２０８は、被写体像情報解析部２０５からの検出結果に基づいて、撮影領域における被写体像の大きさが変化したか否かを判断する（ステップＳ３１）。撮影領域における被写体像の大きさに変化がない場合には、特段の処理を行わない。一方、被写体像の大きさに変化がある場合は、被写体像が拡大したか否かを判断する（ステップＳ３２）。被写体像が拡大した場合には、その拡大量に応じて、表示画像の縮小率を決定する（ステップＳ３３）。また、被写体像が縮小した場合には、その縮小量に応じて、表示画像の拡大量を決定する（ステップＳ３４）。そして、倍率決定部２０８は、上述の処理によって決定した表示画像の表示倍率情報を、更新画像生成部２０９に出力する（ステップＳ３５）。
【００５１】
更新画像生成部２０９は、領域決定部２０６及び倍率決定部２０８が決定した表示領域及び表示倍率に基づいて、画像表示部１０３に表示している現画像の画像情報を更新するための画像情報（更新画像情報）を生成する部分である。この更新画像生成部２０９は、更新画像情報を生成する際に、画像情報メモリ部２０３に保存されている画像情報の全領域を参照する。そして、領域決定部２０６及び倍率決定部２０８から受け取った移動量情報及び表示倍率情報に対応した領域の画像情報を、新たに更新画像情報として生成する。生成された更新画像情報は、画像情報送信部２０２に出力される。
【００５２】
以上説明したように、画像処理システム１は、携帯端末１０と被写体との距離の変化に応じて、画像表示部１０３に表示される表示画像の表示倍率が決定される。また、撮影領域における被写体の存在位置の変化に応じて、画像表示部１０３に表示される表示画像の表示領域が決定される。これにより、携帯端末１０と被写体との距離変化の速度によらずに表示画像の更新がなされる。ユーザは、携帯端末１０を被写体に対して相対的に移動させるだけの簡易な操作で、表示画像の所望の部分を閲覧することができる。
【００５３】
また、動画カメラ１０６，１０７により撮影された被写体像を、携帯端末１０と被写体との位置関係の変化を検出する基準としているので、微細な位置変化の検出が可能となる。この結果として、画像更新の操作に必要な移動量を小さくできる。
【００５４】
さらに、本実施形態では、倍率決定部２０８は、前面カメラ１０６によって被写体を撮影した場合には、被写体像が相対的に大きくなると表示倍率を上げ、被写体像が相対的に小さくなると表示倍率を下げることを決定する。また、背面カメラ１０７によって被写体を撮影した場合には、被写体像が相対的に大きくなると表示倍率を下げ、被写体像が相対的に小さくなると表示倍率を上げることを決定する。これにより、いずれの動画カメラを用いた場合であっても、携帯端末１０の位置の変化と表示画像のスクロール及び拡大・縮小との対応関係を、ルーペを通して物を見る場合と同様にできる。したがって、ユーザは、直感的に操作し易いインターフェースで画像の閲覧を行うことができる。
【００５５】
また、本実施形態では、動画カメラ１０６，１０７及び画像表示部１０３が携帯端末１０側に、更新画像生成部２０９が伝送装置２０側にそれぞれ配置されており、携帯端末１０側の情報処理負荷を軽減することができる。
【図面の簡単な説明】
【００５６】
【図１】本発明の画像処理システムによる画像の閲覧方法を示す図である。
【図２】携帯端末が受信する画像情報の一例を示す図である。
【図３】携帯端末の画像表示部に表示される画像の例を示す図である。
【図４】画像処理システムの動作例を示すシーケンス図である。
【図５】被写体像情報の一例を示す図である。
【図６】本発明の画像処理システムの構成図である。
【図７】領域決定部の動作内容を示すフローチャートである。
【図８】前面カメラで被写体を撮影した場合の倍率決定部の動作内容を示すフローチャートである。
【図９】背面カメラで被写体を撮影した場合の倍率決定部の動作内容を示すフローチャートである。
【符号の説明】
【００５７】
１…画像処理システム、１０…携帯端末、２０…伝送装置、１０１…画像情報受信部、１０３…画像表示部、１０６…前面動画カメラ、１０７…背面動画カメラ、１０９…被写体像情報送信部、２０１…画像蓄積部、２０２…画像情報送信部、２０４…被写体像情報受信部、２０６…領域決定部、２０７…処理受付部、２０８…倍率決定部、２０９…更新画像生成部、Ｇ…画像情報、Ｐ…被写体、Ｐ１…被写体像情報、Ｐ２…被写体像。
【図１】
2005275962.tif 000003
【図２】
2005275962.tif 000004
【図３】
2005275962.tif 000005
【図４】
2005275962.tif 000006
【図５】
2005275962.tif 000007
【図６】
2005275962.tif 000008
【図７】
2005275962.tif 000009
【図８】
2005275962.tif 000010
【図９】
2005275962.tif 000011